【手続補正書】
【提出日】平成15年9月10日(2003.9.10)
【手続補正１】
【補正対象書類名】明細書
【補正対象項目名】特許請求の範囲
【補正方法】変更
【補正の内容】
【特許請求の範囲】
【請求項１】
複数の地点におけるユーザテレビ機器（２０、８８、９２、９７、９８、１００、１２０）を有するテレビメッセージシステムを用いて贈答品を購買する方法であって、該ユーザテレビ機器は、それぞれの通信経路（２４、９０、９９、１０１、１０２、１２２）によってテレビ配信設備（１６、８４、９３、１０４、１１６）と結合され、該テレビ配信機器設備は、該ユーザテレビ機器にテレビ番組項目を提供し、該方法は、
第１の地点における該ユーザテレビ機器を有するユーザが、該第１の地点から離れた第２の地点における該ユーザテレビ機器を有する受取人のために贈答品を購買することを可能にする工程であって、該贈答品は、該ユーザが該ユーザテレビ機器を用いて現在視聴しているテレビ番組と関連する、工程と、
該第１の地点における該ユーザテレビ機器から、該通信経路の１つを介して該贈答品に関する情報を受信する工程と、
該第２の地点における該受取人に該贈答品を提供する工程と、
該第１の地点における該ユーザからの該贈答品に関するメッセージを該第２の地点における該受取人に伝送する工程と
を包含する、方法。
【請求項２】
前記受信する工程は、前記贈答品に関する情報を、前記ユーザテレビ機器を用いて受信する工程であって、該情報は、前記第２の地点における前記受取人のための該贈答品の潜在的購買に関する、工程をさらに包含する、請求項１に記載の方法。
【請求項３】
前記受信する工程は、
テレビ番組商品の前記潜在的購買を、前記第２の地点における前記受取人のための前記贈答品とみなす、該贈答品に関する情報を受信する工程と、
前記ユーザが該受取人のための該テレビ番組商品を購買することを可能にする工程と
をさらに包含する、請求項１に記載の方法。
【請求項４】
前記受信する工程は、
ペーパービューテレビ番組の前記潜在的購買を、前記第２の地点における前記受取人のための前記贈答品とみなす、該贈答品に関する情報を受信する工程と、
前記ユーザが該受取人のための該ペーパービューテレビ番組を購買することを可能にする工程と
をさらに包含する、請求項１に記載の方法。
【請求項５】
前記第１の地点における前記ユーザテレビ機器を有する前記ユーザが、前記贈答品に関する情報を見ることを可能にする工程と、
該ユーザが、該贈答品の前記受取人の個人情報を含む購買情報を供給することによって、該第２の地点における該ユーザテレビ機器を有する該受取人のための該贈答品を購買することを可能にする工程と
をさらに包含する、請求項１に記載の方法。
【請求項６】
ユーザの口座に借り方記入するために、前記テレビ配信設備に前記購買情報を送達する工程をさらに包含する、請求項５に記載の方法。
【請求項７】
前記ユーザが、購買されるべき該贈答品を前記購買情報の一部分として識別することを可能にする工程をさらに包含する、請求項５に記載の方法。
【請求項８】
前記ユーザが前記受取人の番地を入力して、前記贈答品が該番地に発送されることを可能にする、請求項１に記載の方法。
【請求項９】
前記ユーザが、前記受取人の前記ユーザテレビ機器に対応して住所を入力して、前記贈答品が購買されたことを該受取人に通知する通知メッセージが該受取人のユーザテレビ機器に送信されることを可能にする工程をさらに包含する、請求項１に記載の方法。
【請求項１０】
前記ユーザが前記受取人の電子メールアドレスを入力して、前記贈答品が購買されたことを該受取人に通知する通知メッセージが該電子メールアドレスに送信されるようにすることを可能にする工程をさらに包含する、請求項１に記載の方法。
【請求項１１】
前記メッセージを伝送する工程は、前記第１の地点における前記ユーザテレビ機器を有する前記ユーザが、該ユーザテレビ機器からのメッセージを、もう１人の地点における該ユーザテレビ機器を有するもう１人のユーザに送信することを可能にする双方向番組ガイドをインプリメントする工程をさらに包含する、請求項１に記載の方法。
【請求項１２】
前記双方向番組ガイドをインプリメントする工程は、前記第１の地点における前記ユーザテレビ機器を有する前記ユーザが、もう１人の地点における該ユーザテレビ機器を有するもう１人のユーザに、前記テレビプログラム項目の一部分として受信されるテレビ番組を視聴するように催促メッセージを送信することを可能にする工程をさらに包含する、請求項１１に記載の方法。
【請求項１３】
前記双方向番組ガイドをインプリメントする工程は、前記第１の地点における前記ユーザテレビ機器を有する前記ユーザが、もう１人の地点における該ユーザテレビ機器を有するもう１人のユーザに、前記テレビ番組項目の一部分として受信されるテレビ番組を視聴するように勧告メッセージを送信することを可能にする工程をさらに包含する、請求項１１に記載の方法。
【請求項１４】
前記双方向番組ガイドをインプリメントする工程は、前記第１の地点における前記ユーザテレビ機器を有する前記ユーザが、もう１人の地点における該ユーザテレビ機器を有するもう１人のユーザに前記テレビ番組項目の一部分であるテレビ番組に関連するメッセージを送信することを可能にする工程をさらに包含する、請求項１１に記載の方法。
【請求項１５】
前記双方向番組ガイドをインプリメントする工程は、前記第１の地点における前記ユーザテレビ機器を有する前記ユーザが、もう１人の地点における前記ユーザテレビ機器を有するもう１人のユーザにオーディオメッセージを送信することを可能にする工程をさらに包含する、請求項１１に記載の方法。
【請求項１６】
前記双方向番組ガイドをインプリメントする工程は、前記第１の地点における前記ユーザテレビ機器を有する前記ユーザが、前記もう１人の地点における前記ユーザテレビ機器を有するもう１人のユーザにビデオメッセージを送信することを可能にする工程をさらに包含する、請求項１１に記載の方法。
【請求項１７】
前記双方向番組ガイドをインプリメントする工程は、前記第１の地点における前記ユーザテレビ機器を有する前記ユーザが、もう１人の地点におけるユーザ通信機器（１１４）を有するもう１人のユーザにメッセージを送信することを可能にする工程をさらに包含する、請求項１１に記載の方法。
【請求項１８】
前記双方向番組ガイドをインプリメントする工程は、前記第１の地点における前記ユーザテレビ機器を有する前記ユーザが、アドレスブックから前記もう１人のユーザを選択することによって、もう１人のユーザにメッセージを送信することを可能にする工程であって、該アドレスブックは該もう１人のユーザのアドレスを含む、工程をさらに包含する、請求項１１に記載の方法。
【請求項１９】
前記双方向プログラムガイドをインプリメントする工程は、前記第１の地点における前記ユーザテレビ機器を有する前記ユーザが、アドレスブックからユーザの群を選択することによって、ユーザの群にメッセージを送信することを可能にする工程であって、該アドレスブックは、該ユーザの群のアドレスを含む、工程をさらに包含する、請求項１１に記載の方法。
【請求項２０】
前記双方向番組ガイドをインプリメントする工程は、前記第１の地点における前記ユーザテレビ機器を有する前記ユーザが、該ユーザが視聴する現在のテレビ番組を視聴する、他の地点における該ユーザテレビ機器を有する他のユーザにメッセージを送信することを可能にする工程であって、該現在のテレビ番組は、前記テレビ番組項目の部分である、工程をさらに包含する、請求項１１に記載の方法。
【請求項２１】
前記双方向番組ガイドをインプリメントする工程は、前記第１の地点における前記ユーザテレビ機器を有する前記ユーザが、特定のテレビ番組に関心をもつ、他の地点における該ユーザテレビ機器を有する他のユーザにメッセージを送信することを可能にする工程をさらに包含する、請求項１１に記載の方法。
【請求項２２】
前記双方向番組ガイドをインプリメントする工程は、前記第１の地点における前記ユーザテレビ機器を有する前記ユーザが、特定のテレビチャネルに関心をもつ、他の地点における該ユーザテレビ機器を有する他のユーザにメッセージを送信することを可能にする工程をさらに包含する、請求項１１に記載の方法。
【請求項２３】
前記双方向番組ガイドをインプリメントする工程は、前記第１の地点における前記ユーザテレビ機器を有する前記ユーザが、特定のカテゴリのテレビ番組に関心をもつ、他の地点における該ユーザテレビ機器を有する他のユーザに前記メッセージを送信することを可能にする工程をさらに包含する、請求項１１に記載の方法。
【請求項２４】
前記双方向番組ガイドをインプリメントする工程は、前記第１の地点における前記ユーザテレビ機器を有する前記ユーザが、異なったテレビ配信設備と接続されるユーザテレビ機器を有する、もう１人の地点におけるもう１人のユーザに前記メッセージを送信することを可能にする工程をさらに包含する、請求項１１に記載の方法。
【請求項２５】
前記提供する工程は、前記ユーザが前記受取人のための前記贈答品を購買したというメッセージを表示する工程をさらに包含する、請求項１に記載の方法。
【請求項２６】
前記提供する工程は、前記ユーザが前記受取人のための前記贈答品を購買したことを示す表示画面を表示する工程をさらに包含する、請求項１に記載の方法。
【請求項２７】
前記提供する工程は、前記受取人が所定の量のペーパービュー番組項目を見ることを可能にするアクセスコードを該受取人に提供する工程をさらに包含する、請求項１に記載の方法。
【請求項２８】
前記提供する工程は、前記受取人のユーザの口座に貸し方記入するために、前記贈答品に関する前記情報をテレビ配信設備に伝送する工程をさらに包含する、請求項１に記載の方法。
【請求項２９】
前記提供する工程は、前記受取人に前記ユーザからの将来の贈答品を遮断する機会を提供する工程をさらに包含する、請求項１に記載の方法。
【請求項３０】
複数の地点におけるユーザテレビ機器（２０、９７、９８、１００、１２０）を有するテレビメッセージシステムを用いて贈答品を購買するシステムであって、該ユーザテレビ機器は、それぞれの通信経路（２４、９９、１０１、１０２、１２２）によってテレビ配信設備（１６、８４、９３、１０４、１１６）と結合され、該テレビ配信機器設備は、該ユーザテレビ機器にテレビ番組項目を提供し、該システムは、
第１の地点における該ユーザテレビ機器を有するユーザが、該第１の地点から離れた地点における該ユーザテレビ機器を有する受取人のために贈答品を購買することを可能にする手段であって、該贈答品は、該ユーザが該ユーザテレビ機器を用いて現在視聴しているテレビ番組と関連する、手段と、
該第１の地点における該ユーザテレビ機器から、該通信経路の１つを介して該贈答品に関する情報を受信する手段と、
該第２の地点における該受取人に該贈答品を提供する手段と、
該第１の地点における該ユーザからの該贈答品に関するメッセージを該第２の地点における該受取人に伝送する手段と
を備える、システム。
【請求項３１】
前記受信する手段は、前記贈答品に関する情報を、前記ユーザテレビ機器を用いて受信する手段であって、該情報は、前記第２の地点における前記受取人のための該贈答品の潜在的購買に関する、手段をさらに備える、請求項３０に記載のシステム。
【請求項３２】
前記受信する手段は、
テレビ番組商品の前記潜在的購買を、前記第２の地点における前記受取人のための前記贈答品とみなす、該贈答品に関する情報を受信する手段と、
前記ユーザが該受取人のための該テレビ番組商品を購買することを可能にする手段と
をさらに備える、請求項３０に記載のシステム。
【請求項３３】
前記受信する手段は、
ペーパービューテレビ番組の前記潜在的購買を、前記第２の地点における前記受取人のための前記贈答品とみなす、該贈答品に関する情報を受信する手段と、
前記ユーザが該受取人のための該ペーパービューテレビ番組を購買することを可能にする手段と
をさらに備える、請求項３０に記載のシステム。
【請求項３４】
前記第１の地点における前記ユーザテレビ機器を有する前記ユーザが、前記贈答品に関する情報を見ることを可能にする手段と、
該ユーザが、該贈答品の前記受取人の個人情報を含む購買情報を供給することによって、該第２の地点における該ユーザテレビ機器を有する該受取人のための該贈答品を購買することを可能にする手段と
をさらに備える、請求項３０に記載のシステム。
【請求項３５】
ユーザの口座に借り方記入するために、前記テレビ配信設備に前記購買情報を送達する手段をさらに備える、請求項３４に記載のシステム。
【請求項３６】
前記ユーザが、購買されるべき該贈答品を前記購買情報の一部分として識別することを可能にする手段をさらに備える、請求項５に記載のシステム。
【請求項３７】
前記ユーザが前記受取人の番地を入力して、前記贈答品が該番地に発送されることを可能にする、請求項３０に記載のシステム。
【請求項３８】
前記ユーザが、前記受取人の前記ユーザテレビ機器に対応して住所を入力して、前記贈答品が購買されたことを該受取人に通知する通知メッセージが該受取人のユーザテレビ機器に送信されることを可能にする手段をさらに備える、請求項３０に記載のシステム。
【請求項３９】
前記ユーザが前記受取人の電子メールアドレスを入力して、前記贈答品が購買されたことを該受取人に通知する通知メッセージが該電子メールアドレスに送信されるようにすることを可能にする手段をさらに備える、請求項３０に記載のシステム。
【請求項４０】
前記メッセージを伝送する手段は、前記第１の地点における前記ユーザテレビ機器を有する前記ユーザが、該ユーザテレビ機器からのメッセージを、もう１人の地点における該ユーザテレビ機器を有するもう１人のユーザに送信することを可能にする双方向番組ガイドをインプリメントする手段をさらに備える、請求項３０に記載のシステム。
【請求項４１】
前記双方向番組ガイドをインプリメントする手段は、前記第１の地点における前記ユーザテレビ機器を有する前記ユーザが、もう１人の地点における該ユーザテレビ機器を有するもう１人のユーザに、前記テレビプログラム項目の一部分として受信されるテレビ番組を視聴するように催促メッセージを送信することを可能にする手段をさらに備える、請求項４０に記載のシステム。
【請求項４２】
前記双方向番組ガイドをインプリメントする手段は、前記第１の地点における前記ユーザテレビ機器を有する前記ユーザが、もう１人の地点における該ユーザテレビ機器を有するもう１人のユーザに、前記テレビ番組項目の一部分として受信されるテレビ番組を視聴するように勧告メッセージを送信することを可能にする手段をさらに備える、請求項４０に記載のシステム。
【請求項４３】
前記双方向番組ガイドをインプリメントする手段は、前記第１の地点における前記ユーザテレビ機器を有する前記ユーザが、もう１人の地点における該ユーザテレビ機器を有するもう１人のユーザに前記テレビ番組項目の一部分であるテレビ番組に関連するメッセージを送信することを可能にする手段をさらに備える、請求項４０に記載のシステム。
【請求項４４】
前記双方向番組ガイドをインプリメントする手段は、前記第１の地点における前記ユーザテレビ機器を有する前記ユーザが、もう１人の地点における前記ユーザテレビ機器を有するもう１人のユーザにオーディオメッセージを送信することを可能にする手段をさらに備える、請求項４０に記載のシステム。
【請求項４５】
前記双方向番組ガイドをインプリメントする手段は、前記第１の地点における前記ユーザテレビ機器を有する前記ユーザが、前記もう１人の地点における前記ユーザテレビ機器を有するもう１人のユーザにビデオメッセージを送信することを可能にする手段をさらに備える、請求項４０に記載のシステム。
【請求項４６】
前記双方向番組ガイドをインプリメントする手段は、前記第１の地点における前記ユーザテレビ機器を有する前記ユーザが、もう１人の地点におけるユーザ通信機器（１１４）を有するもう１人のユーザにメッセージを送信することを可能にする手段をさらに備える、請求項１１に記載のシステム。
【請求項４７】
前記双方向番組ガイドをインプリメントする手段は、前記第１の地点における前記ユーザテレビ機器を有する前記ユーザが、アドレスブックから前記もう１人のユーザを選択することによって、もう１人のユーザにメッセージを送信することを可能にする手段であって、該アドレスブックは該もう１人のユーザのアドレスを含む、手段をさらに備える、請求項４０に記載のシステム。
【請求項４８】
前記双方向プログラムガイドをインプリメントする手段は、前記第１の地点における前記ユーザテレビ機器を有する前記ユーザが、アドレスブックからユーザの群を選択することによって、ユーザの群にメッセージを送信することを可能にする手段であって、該アドレスブックは、該ユーザの群のアドレスを含む、手段をさらに備える、請求項４０に記載のシステム。
【請求項４９】
前記双方向番組ガイドをインプリメントする手段は、前記第１の地点における前記ユーザテレビ機器を有する前記ユーザが、該ユーザが視聴する現在のテレビ番組を視聴する、他の地点における該ユーザテレビ機器を有する他のユーザにメッセージを送信することを可能にする手段であって、該現在のテレビ番組は、前記テレビ番組項目の部分である、手段をさらに備える、請求項４０に記載のシステム。
【請求項５０】
前記双方向番組ガイドをインプリメントする手段は、前記第１の地点における前記ユーザテレビ機器を有する前記ユーザが、特定のテレビ番組に関心をもつ、他の地点における該ユーザテレビ機器を有する他のユーザにメッセージを送信することを可能にする手段をさらに備える、請求項４０に記載のシステム。
【請求項５１】
前記双方向番組ガイドをインプリメントする手段は、前記第１の地点における前記ユーザテレビ機器を有する前記ユーザが、特定のテレビチャネルに関心をもつ、他の地点における該ユーザテレビ機器を有する他のユーザにメッセージを送信することを可能にする手段をさらに備える、請求項４０に記載のシステム。
【請求項５２】
前記双方向番組ガイドをインプリメントする手段は、前記第１の地点における前記ユーザテレビ機器を有する前記ユーザが、特定のカテゴリのテレビ番組に関心をもつ、他の地点における該ユーザテレビ機器を有する他のユーザに前記メッセージを送信することを可能にする手段をさらに備える、請求項４０に記載のシステム。
【請求項５３】
前記双方向番組ガイドをインプリメントする手段は、前記第１の地点における前記ユーザテレビ機器を有する前記ユーザが、異なったテレビ配信設備と接続されるユーザテレビ機器を有する、もう１人の地点におけるもう１人のユーザに前記メッセージを送信することを可能にする手段をさらに備える、請求項４０に記載のシステム。
【請求項５４】
前記提供する手段は、前記ユーザが前記受取人のための前記贈答品を購買したというメッセージを表示する手段をさらに備える、請求項３０に記載のシステム。
【請求項５５】
前記提供する手段は、前記ユーザが前記受取人のための前記贈答品を購買したことを示す表示画面を表示する手段をさらに備える、請求項３０に記載のシステム。
【請求項５６】
前記提供する手段は、前記受取人が所定の量のペーパービュー番組項目を見ることを可能にするアクセスコードを該受取人に提供する手段をさらに備える、請求項３０に記載のシステム。
【請求項５７】
前記提供する手段は、前記受取人のユーザの口座に貸し方記入するために、前記贈答品に関する前記情報をテレビ配信設備に伝送する手段をさらに備える、請求項３０に記載のシステム。
【請求項５８】
前記提供する手段は、前記受取人に前記ユーザからの将来の贈答品を遮断する機会を提供する工程をさらに包含する、請求項３０に記載のシステム。
【請求項５９】
複数の地点におけるユーザテレビ機器（２０、８８、９２、９７、９８、１００、１２０）を有するテレビメッセージシステムを用いて贈答品を購買するシステムであって、該ユーザテレビ機器は、それぞれの通信経路（２４、９０、９９、１０１、１０２、１２２）によってテレビ配信設備（１６、８４、９３、１０４、１１６）と結合され、該テレビ配信機器設備は、該ユーザテレビ機器にテレビ番組項目を提供し、該システムは、
ユーザインターフェース（３２）と、
表示デバイス（４０）と、
少なくとも部分的に制御回路上でインプリメントされる双方向テレビアプリケーションとを備え、
第１の地点における該ユーザテレビ機器を有するユーザが、該第１の地点から離れた第２の地点における該ユーザテレビ機器を有する受取人のための贈答品を購買することを可能にし、該贈答品は、該ユーザが該ユーザテレビ機器を用いて現在視聴しているテレビ番組と関連し、
該第１の地点における該ユーザテレビ機器から、該通信経路の１つを介して該贈答品に関する情報を受信し、
該第２の地点における該受取人に該贈答品を提供し、
該第１の地点における該ユーザからの該贈答品に関するメッセージを該第２の地点における該受取人に伝送する
ようにプログラムされる、システム。
【請求項６０】
前記双方向テレビアプリケーションは、前記贈答品に関する情報を、前記ユーザテレビ機器を用いて受信するように、さらにプログラムされ、該情報は、前記第２の地点における前記受取人のための該贈答品の潜在的購買に関する、請求項５９に記載のシステム。
【請求項６１】
前記双方向テレビアプリケーションは、テレビ番組商品の前記潜在的購買を、前記第２の地点における前記受取人のための前記贈答品とみなす、該贈答品に関する情報を受信し、
前記ユーザが該受取人のための該テレビ番組商品を購買することを可能するように
さらにプログラムされる、請求項５９に記載のシステム。
【請求項６２】
前記双方向テレビアプリケーションは、
ペーパービューテレビ番組の前記潜在的購買を、前記第２の地点における前記受取人のための前記贈答品とみなす、該贈答品に関する情報を受信し、
前記ユーザが該受取人のための該ペーパービューテレビ番組を購買することを可能にするように
さらにプログラムされる、請求項５９に記載のシステム。
【請求項６３】
前記双方向テレビアプリケーションは、
前記第１の地点における前記ユーザテレビ機器を有する前記ユーザが、前記贈答品に関する情報を見ることを可能し、
該ユーザが、該贈答品の前記受取人の個人情報を含む購買情報を供給することによって、該第２の地点における該ユーザテレビ機器を有する該受取人のための該贈答品を購買することを可能するように
さらにプログラムされる、請求項５９に記載のシステム。
【請求項６４】
前記双方向テレビアプリケーションは、ユーザの口座に借り方記入するために、前記テレビ配信設備に前記購買情報を送達するように、さらにプログラムされる、請求項５９に記載のシステム。
【請求項６５】
前記双方向テレビアプリケーションは、前記ユーザが、購買されるべき該贈答品を前記購買情報の一部分として識別することを可能にするように、さらにプログラムされる、請求項５９に記載のシステム。
【請求項６６】
前記双方向テレビアプリケーションは、前記ユーザが前記受取人の番地を入力して、前記贈答品が該番地に発送されることを可能にするように、さらにプログラムされる、請求項５９に記載のシステム。
【請求項６７】
前記双方向テレビアプリケーションは、前記ユーザが、前記受取人のユーザテレビ機器に対応して住所を入力して、前記贈答品が購買されたことを該受取人に通知する通知メッセージが該受取人のユーザテレビ機器に送信されることを可能にするように、さらにプログラムされる、請求項５９に記載のシステム。
【請求項６８】
前記双方向テレビアプリケーションは、前記ユーザが前記受取人の電子メールアドレスを入力して、前記贈答品が購買されたことを該受取人に通知する通知メッセージが該電子メールアドレスに送信されるようにすることを可能にするように、さらにプログラムされる、請求項５９に記載のシステム。
【請求項６９】
前記双方向テレビアプリケーションは、前記第１の地点における前記ユーザテレビ機器を有する前記ユーザが、該ユーザテレビ機器からのメッセージを、もう１人の地点における該ユーザテレビ機器を有するもう１人のユーザに送信することを可能にする双方向番組ガイドをインプリメントするように、さらにプログラムされる、請求項５９に記載のシステム。
【請求項７０】
前記双方向テレビアプリケーションは、前記第１の地点における前記ユーザテレビ機器を有する前記ユーザが、もう１人の地点における該ユーザテレビ機器を有するもう１人のユーザに、前記テレビプログラム項目の一部分として受信されるテレビ番組を視聴するように催促メッセージを送信することを可能にするように、さらにプログラムされる、請求項５９に記載のシステム。
【請求項７１】
前記双方向テレビアプリケーションは、前記第１の地点における前記ユーザテレビ機器を有する前記ユーザが、もう１人の地点における該ユーザテレビ機器を有するもう１人のユーザに、前記テレビ番組項目の一部分として受信されるテレビ番組を視聴するように勧告メッセージを送信することを可能にするように、さらにプログラムされる、請求項５９に記載のシステム。
【請求項７２】
前記双方向テレビアプリケーションは、前記第１の地点における前記ユーザテレビ機器を有する前記ユーザが、もう１人の地点における該ユーザテレビ機器を有するもう１人のユーザに前記テレビ番組項目の一部分であるテレビ番組に関連するメッセージを送信することを可能にするように、さらにプログラムされる、請求項５９に記載のシステム。
【請求項７３】
前記双方向テレビアプリケーションは、前記第１の地点における前記ユーザテレビ機器を有する前記ユーザが、もう１人の地点における前記ユーザテレビ機器を有するもう１人のユーザにオーディオメッセージを送信することを可能にするように、さらにプログラムされる、請求項５９に記載のシステム。
【請求項７４】
前記双方向テレビアプリケーションは、前記第１の地点における前記ユーザテレビ機器を有する前記ユーザが、前記もう１人の地点における前記ユーザテレビ機器を有するもう１人のユーザにビデオメッセージを送信することを可能にするように、さらにプログラムされる、請求項５９に記載のシステム。
【請求項７５】
前記双方向テレビアプリケーションは、前記第１の地点における前記ユーザテレビ機器を有する前記ユーザが、もう１人の地点におけるユーザ通信機器（１１４）を有するもう１人のユーザにメッセージを送信することを可能にするように、さらにプログラムされる、請求項５９に記載のシステム。
【請求項７６】
前記双方向テレビアプリケーションは、前記第１の地点における前記ユーザテレビ機器を有する前記ユーザが、アドレスブックから前記もう１人のユーザを選択することによって、もう１人のユーザにメッセージを送信することを可能にし、該アドレスブックは該もう１人のユーザのアドレスを含むように、さらにプログラムされる、請求項５９に記載のシステム。
【請求項７７】
前記双方向テレビアプリケーションは、前記第１の地点における前記ユーザテレビ機器を有する前記ユーザが、アドレスブックからユーザの群を選択することによって、ユーザの群にメッセージを送信することを可能にし、該アドレスブックは、該ユーザの群のアドレスを含むように、さらにプログラムされる、請求項５９に記載のシステム。
【請求項７８】
前記双方向テレビアプリケーションは、前記第１の地点における前記ユーザテレビ機器を有する前記ユーザが、該ユーザが視聴する現在のテレビ番組を視聴する、他の地点における該ユーザテレビ機器を有する他のユーザにメッセージを送信することを可能にし、該現在のテレビ番組は、前記テレビ番組項目の部分であるように、さらにプログラムされる、請求項５９に記載のシステム。
【請求項７９】
前記双方向テレビアプリケーションは、前記第１の地点における前記ユーザテレビ機器を有する前記ユーザが、特定のテレビ番組に関心をもつ、他の地点における該ユーザテレビ機器を有する他のユーザにメッセージを送信することを可能にするように、さらにプログラムされる、請求項５９に記載のシステム。
【請求項８０】
前記双方向テレビアプリケーションは、前記第１の地点における前記ユーザテレビ機器を有する前記ユーザが、特定のテレビチャネルに関心をもつ、他の地点における該ユーザテレビ機器を有する他のユーザにメッセージを送信することを可能にするように、さらにプログラムされる、請求項５９に記載のシステム。
【請求項８１】
前記双方向テレビアプリケーションは、前記第１の地点における前記ユーザテレビ機器を有する前記ユーザが、特定のカテゴリのテレビ番組に関心をもつ、他の地点における該ユーザテレビ機器を有する他のユーザに前記メッセージを送信することを可能にするように、さらにプログラムされる、請求項５９に記載のシステム。
【請求項８２】
前記双方向テレビアプリケーションは、前記第１の地点における前記ユーザテレビ機器を有する前記ユーザが、異なったテレビ配信設備と接続されるユーザテレビ機器を有する、もう１人の地点におけるもう１人のユーザに前記メッセージを送信することを可能にするように、さらにプログラムされる、請求項５９に記載のシステム。
【請求項８３】
前記双方向テレビアプリケーションは、前記ユーザが前記受取人のための前記贈答品を購買したというメッセージを表示するように、さらにプログラムされる、請求項５９に記載のシステム。
【請求項８４】
前記双方向テレビアプリケーションは、前記ユーザが前記受取人のための前記贈答品を購買したことを示す表示画面を表示するように、さらにプログラムされる、請求項５９に記載のシステム。
【請求項８５】
前記双方向テレビアプリケーションは、前記受取人が所定の量のペーパービュー番組項目を見ることを可能にするアクセスコードを該受取人に提供するように、さらにプログラムされる、請求項５９に記載のシステム。
【請求項８６】
前記双方向テレビアプリケーションは、前記受取人のユーザの口座に貸し方記入するために、前記贈答品に関する前記情報をテレビ配信設備に伝送するように、さらにプログラムされる、請求項５９に記載のシステム。
【請求項８７】
前記双方向テレビアプリケーションは、前記受取人に前記ユーザからの将来の贈答品を遮断する機会を提供するように、さらにプログラムされる、請求項５９に記載のシステム。